(57)【要約】【課題】  部屋の隅にある塵埃を好適に掻き取ることができ、部屋の隅々まで掃除をすることができる電気掃除を提供する。【解決手段】  掃除機本体２に連通する吸込具１０は、被清掃面を清掃する回転清掃体３０が収容される吸込室３０ａと、吸込室３０ａに開口する塵埃吸込路Ｒと、を備え、回転清掃体３０の軸方向の端部に回転補助清掃体４０と、吸込室３０ａの側方において吸込室３０ａと仕切られて形成され、回転補助清掃体４０が収容される補助吸込室４０ａと、補助吸込室４０ａに開口し、塵埃吸込路Ｒに直接連通する補助吸込路１５と、を具備した構成とした。【選択図】  図４
2013070838.tif 000002
【特許請求の範囲】
【請求項１】
吸引力を発生する掃除機本体と、前記掃除機本体に連通する吸込具とを備えた電気掃除機において、
前記吸込具は、被清掃面を清掃する回転清掃体が収容される吸込室と、この吸込室に開口する塵埃吸込路と、を備え、
前記回転清掃体の軸方向の端部に設けられた回転補助清掃体と、
前記吸込室の側方において前記吸込室と仕切られて形成され、前記回転補助清掃体が収容される補助吸込室と、
前記補助吸込室に開口し、前記塵埃吸込路に直接連通する補助吸込路と、を具備したことを特徴とする電気掃除機。
【請求項２】
前記補助吸込室における前記補助吸込路の開口は、前記回転補助清掃体の径方向に対峙する壁面に形成されていることを特徴とする請求項１に記載の電気掃除機。
【請求項３】
前記吸込具は、下面に前記吸込室が形成される下ケースと、前記下ケースの上面に被せられる上ケースとを備え、前記補助吸込路は、前記下ケースと前記上ケースとの間に設けられていることを特徴とする請求項１に記載の電気掃除機。
【請求項４】
前記吸込具の側部には、前記補助吸込室に通じる開口部が形成されており、前記回転補助清掃体は、前記開口部を通じて前記吸込具の側部の外側方に突出していることを特徴とする請求項１から請求項３のいずれか１項に記載の電気掃除機。
【請求項５】
外側方に突出する前記回転補助清掃体の外側面には、摺擦部材が設けられていることを特徴とする請求項４に記載の電気掃除機。
【発明の詳細な説明】
【技術分野】
【０００１】
本発明は、内部に回転清掃体を有する吸込具を備えた電気掃除機に関する。
【背景技術】
【０００２】
従来、一般的な電気掃除機は、掃除機本体と、この掃除機本体に接続されたホースと、ホースの端部に接続された手元操作管と、手元操作管の先端に接続された延長管と、延長管の先端に着脱可能に取り付けられた吸込具とを備えて構成されている。吸込具としては、パワーブラシが組み込まれたものが知られており、パワーブラシは、清掃面の塵埃を掻き取ることが可能な回転清掃体と、この回転清掃体を駆動するための電動機（駆動部）を含んで構成されている（例えば、特許文献１参照）。
【０００３】
電動機から回転清掃体への駆動力の伝達機構は、例えば、電動機側に設けられた小径プーリと、回転清掃体側に設けられた大径プーリと、これらの間に掛け渡され、電動機の駆動力を回転清掃体へ伝達する歯付きベルトと、を備えて構成されている。
【０００４】
また、回転清掃体の側方に補助ブラシが設けられた吸込具を備えた電気掃除機も知られている（例えば、特許文献１参照）。
【０００５】
この電気掃除機の吸込具では、回転清掃体と同軸で回転する補助ブラシが、歯付きベルトの配置される軸受保持部を挟んで回転清掃体の側方となる吸込具の側端部に配置されている。このような構成によれば、補助ブラシによって、吸込具の側部側の床面（清掃面）を掃除することができる。
【先行技術文献】
【特許文献】
【０００６】
【特許文献１】特開昭６３−２４６１１８号公報
【発明の概要】
【発明が解決しようとする課題】
【０００７】
ところで、前記した従来の電気掃除機では、回転清掃体が配置される吸込室と補助ブラシが配置される補助ブラシ室とが軸受保持部の上方後部に配置されたバイパス流路で連通しており、補助ブラシで掻き取った塵埃は、このバイパス流路を通じて吸込室に流れ込むようになっていた。つまり、吸込室と補助ブラシ室との仕切り壁となる軸受保持部を通じて、補助ブラシ室から吸込室に塵埃が吸い込まれるように構成されていた。
【０００８】
しかしながら、軸受保持部には、電動機からの駆動力を伝達する歯付きベルトや軸受部が配置されているので、バイパス流路の挿通スペースを大きくとることができず、吸い込む力が弱まるおそれがあった。このため、部屋の隅部等にある塵埃をうまく掃除することができなかった。
【０００９】
本発明は、部屋の隅にある塵埃を好適に掻き取ることができ、部屋の隅々まで掃除をすることができる電気掃除機を提供することを目的とする。
【課題を解決するための手段】
【００１０】
前記課題を解決するために、本発明に係る電気掃除機は、吸引力を発生する掃除機本体と、前記掃除機本体に連通する吸込具とを備えた電気掃除機において、前記吸込具は、被清掃面を清掃する回転清掃体が収容される吸込室と、この吸込室に開口する塵埃吸込路と、を備え、前記回転清掃体の軸方向の端部に設けられた回転補助清掃体と、前記吸込室の側方において前記吸込室と仕切られて形成され、前記回転補助清掃体が収容される補助吸込室と、前記補助吸込室に開口し、前記塵埃吸込路に直接連通する補助吸込路と、を具備したことを特徴とする。
【００１１】
この電気掃除機によれば、補助吸込室にて回転補助清掃体により掻き取られた塵埃は、吸込室を通ることなく、補助吸込路をバイパスして流れて塵埃吸込路に直接吸い込まれることとなる。したがって、吸い込む力が弱まりにくくなり、回転補助清掃体により掻き取った塵埃を好適に吸引することができる。
【発明の効果】
【００１２】
本発明によれば、部屋の隅にある塵埃を好適に掻き取ることができ、部屋の隅々まで掃除をすることができる電気掃除機が得られる。
【図面の簡単な説明】
【００１３】
【図１】本発明の一実施形態に係る電気掃除機の全体を示す外観斜視図である。
【図２】吸込具の斜視図である。
【図３】吸込具の外観図であり、図３（ａ）は、吸込具の下面側から見た斜視図、図３（ｂ）は、変形例の部分斜視図である。
【図４】吸込部の外観図であり、図４（ａ）は、吸込具の上面図、図４（ｂ）は、吸込具の下面図である。
【図５】吸込具の正面図である。
【図６】吸込具の側面図である。
【図７】回転清掃体および回転補助清掃体の駆動機構を示す模式図である。
【図８】吸込具の断面図であり、図８（ａ）は、補助吸込室と補助吸込路とを示す縦断面図、図８（ｂ）は、吸込室と塵埃吸込路とを示す縦断面図である。
【発明を実施するための形態】
【００１４】
以下、本発明を実施するための形態を、適宜図面を参照しながら説明するが、本実施形態は以下の内容に限定されるものではなく、本発明の要旨の範囲で任意に変更して実施可能である。なお、以下では、吸込具１０において、回転清掃体３０（図３（ａ）参照）が配置される側（清掃時の前進方向）を前側、吸口継手１４が配置される側（清掃時の後進方向）を後側として説明する。
【００１５】
まず、図１を参照して、本発明の実施形態にかかる電気掃除機の外観構成について説明する。図１に示すように、電気掃除機１は、掃除機本体２と、ホース３と、操作スイッチ４６等が設けられた手元操作管４と、延長管５と、吸込具１０とを備えて構成されている。
【００１６】
吸込具１０は、図３（ａ）に示すように、パワーブラシを構成する回転清掃体３０および回転補助清掃体４０と、これらの回転清掃体３０および回転補助清掃体４０を駆動する電動機５０と、を備えている。
【００１７】
掃除機本体２の外殻は、図１に示すように、上ケースと下ケースとによって覆われている。上ケースは、上下方向の略中央より上側に位置し、下ケースは、上下方向の略中央より下側に位置する。掃除機本体２の内部には、吸引力を発生させる図示しない電動送風機や、この電動送風機の吸引力で集塵した塵埃を収容する集塵部等が内蔵されており、手元操作管４の操作スイッチ４６を操作すること等によって電動送風機の運転の強弱切替えや、吸込具１０に備わる回転清掃体３０および回転補助清掃体４０の駆動の入り切り等が行えるようになっている。
【００１８】
この電気掃除機を用いて床面等の被清掃面に堆積している塵埃を吸引するときは、吸込具１０から塵埃を吸引し、延長管５を介して手元操作管４の内部を塵埃が通り、ホース３を経て掃除機本体２に集塵される。なお、集塵部は、掃除機本体２の前側（接続口２ａが形成される側）に位置し、上ケースの前側には、開閉可能な蓋２ｂが設けられている。よって、蓋２ｂは集塵部の上部を開閉可能に塞いでいる。
【００１９】
ホース３は、表面が蛇腹状に形成された可撓性を有するものであり、後端が掃除機本体２に着脱自在に接続され、前端が手元操作管４に回転可能に接続されている。
【００２０】
手元操作管４は、延長管５と接続される接続部４ａと、使用者が手で握るグリップ部４４を有するハンドル４５とを有している。使用者は、例えば、グリップ部４４を握持した状態で掃除を行う。また、ハンドル４５は、側面視において略三角形状（サーベル形状）の閉塞領域Ａを有するように構成されている。
【００２１】
手元操作管４の上面には、操作スイッチ４６が設けられている。この操作スイッチ４６は、運転の開始／停止、吸引力の調整などの複数のボタンで構成されている。また、手元操作管４の上面には、操作スイッチ４６の前方に延長管５を着脱するための着脱ボタン４７が設けられている。
【００２２】
延長管５は、外管５ａと内管５ｂとを備え、外管５ａの前端部に内管５ｂの後端部が挿入されて外管５ａと内管５ｂとの内側に設けられた図示しない通風路（吸込具１０の塵埃吸込路Ｒに連通する通路）が連通するように連結されて、伸縮自在に構成されている。
【００２３】
吸込具１０は、延長管５の前端部に接続された吸口であり、下面（床面に対峙する面）には、図３（ａ）に示すように、開口部を有する吸込室３０ａおよび２つの補助吸込室４０ａ，４０ａが形成されている。吸込室３０ａには、パワーブラシを構成する回転清掃体３０が回転可能に組み込まれ、また、２つの補助吸込室４０ａ，４０ａには、パワーブラシを構成する回転補助清掃体４０，４０がそれぞれ組み込まれている。これらの回転清掃体３０および回転補助清掃体４０，４０は、床面の塵埃を掻き取るように作用する。回転清掃体３０および回転補助清掃体４０，４０の詳細は後記する。
【００２４】
吸込具１０は、図２に示すように、これらの回転清掃体３０（図３（ａ）参照）および回転補助清掃体４０，４０（片側のみ図示）を覆うように下部分を形成する下ケース１１、および下ケース１１の上部に被着された上ケース１２を備える吸口本体１３と、吸口本体１３の後部に取り付けられ、内部に塵埃吸込路Ｒが形成された吸口継手１４とを備える。これらの下ケース１１、上ケース１２および吸口継手１４の主たる部品は、軽量で硬質の材料、例えば、ＡＢＳ樹脂等の合成樹脂材料で形成され、剛性が高められている。
【００２５】
吸口継手１４は、図２および図４（ａ）に示すように、吸込具１０の左右（幅）方向の中央部に設けられている。吸口継手１４は、下ケース１１と上ケース１２との間に図示しない前端が挟み込まれて吸口本体１３に回動可能に接続されている。そして、吸口継手１４は、床面に対して略水平な状態から略垂直な状態まで（上下方向に）回動可能な第１の接続管１４ａと、前端が第１の接続管１４ａの後端下部に回動可能に接続され、吸口本体１３に対し左右方向に回動可能な第２の接続管１４ｂとを有する。第２の接続管１４ｂの後端部には、延長管５の内管５ｂ（図１参照）が接続される。第２の接続管１４ｂの上部には、電動機５０に電力を供給するための接続端子１４ｃが設けられている。
【００２６】
このような吸口継手１４は、例えば、延長管５（図１参照、以下同じ）を床面に対して略垂直とした状態において、その延長管５を吸口本体１３の左右方向に向かって倒すことができる機能を有している。これにより、手元操作管４を左右方向のいずれかにねじることで、吸口本体１３を左右方向のいずれかに略９０度回転させ、吸口本体１３の左右方向を移動方向にした掃除が可能である。したがって、壁際に沿って吸込具１０を移動させて掃除したり、狭い隙間に吸込具１０を挿入したりして掃除することが可能である。
【００２７】
また、吸口本体１３には、前部から左右側方にかけて、下ケース１１と上ケース１２との間にバンパ１６が介設されている。バンパ１６は、ゴムやエラストマ等の弾性材料から形成されており、使用時に吸口本体１３内の気密を保持するとともに、電気掃除機１（図１参照、以下同じ）の使用時に吸口本体１３が家具等に衝突した際に、当該家具等への傷付きと吸口本体１３への衝撃を吸収する緩衝材の役割を果たす。
【００２８】
また、吸口本体１３の下面（下ケース１１の下面）には、図３（ａ）および図４（ｂ）に示すように、ブラシ駆動スイッチ１１ａが設けられている。このブラシ駆動スイッチ１１ａは、吸込具１０の下面が床面に接触しているか否かを検出するスイッチである。ブラシ駆動スイッチ１１ａは、車輪を備え、この車輪がばね等の付勢手段によって常に下ケース１１の下面から突出するように設けられている。そして、車輪が飛び出して床面と接触していないと検出されたときには、吸込具１０に備わる回路基板Ｐ（図７参照）によって電動機５０が停止される。また、車輪が押し込まれて床面と接触していると検出されたときには、回路基板Ｐによって電動機５０が駆動される。
【００２９】
また、吸口本体１３の後端には、車輪１１ｂが設けられている。この車輪１１ｂは、手元操作管４で操作される前後動や回転操作の応力を受けて吸込具１０の底面を床面に密着させ、これにより吸込具１０の操作性能を向上する役割をなす。
【００３０】
吸込室３０ａは、図３（ａ）に示すように、下ケース１１の下面に開口しており、断面が略湾曲凹状を呈して、左右部分が仕切壁をなす隔壁３１，３２（仕切壁）で仕切られている。吸込室３０ａには、後方部分に、吸込口１７（図２等参照）が開口形成されている。この吸込口１７は、吸口継手１４の前記した塵埃吸込路Ｒに連通している。また、吸込口１７の下部後方において、吸込具１０の左右方向中央部には、電動機５０（図７参照）が配置されている。
【００３１】
左側の隔壁３１は、吸込室３０ａと左側の補助吸込室４０ａとを仕切っており、図７に示すように、回転清掃体３０の軸部３１ａを回転可能に支持している。隔壁３１内において、軸部３１ａには大径プーリ３３が装着されている。また、軸部３１ａは、隔壁３１を貫通して、または大径プーリ３３や支持部材３１ｃ（図７参照）を介して、右側の補助吸込室４０ａに延出しており、補助吸込室４０ａ内において軸部３１ａには、回転補助清掃体４０が取り付けられている。
【００３２】
また、右側の隔壁３２は、吸込室３０ａと右側の補助吸込室４０ａとを仕切っており、回転清掃体３０の軸部３１ｂを、支持部材３１ｃを介して回転可能に支持している。一方、軸部３１ｂは、隔壁３２を貫通して左側の補助吸込室４０ａに延出しており、補助吸込室４０ａ内において軸部３１ｂには、回転補助清掃体４０が取り付けられている。
【００３３】
なお、隔壁３１，３２は、いずれも中空状に形成されたものを図示したが、これに限られることはなく、中実状に形成して強度を確保するようにしてもよい。
【００３４】
図３（ａ）および図４（ｂ）に示すように、隔壁３１，３２の下面には、起毛状の摺擦部材３４，３４が取り付けられている。なお、摺擦部材３４，３４の後方において、下ケース１１の下面にも起毛状の摺擦部材１１ｄ，１１ｄが取り付けられている。また、隔壁３１，３２の下面後端には、回転清掃体３０の軸方向に延びる連通溝３５，３５がそれぞれ形成されている。連通溝３５，３５は、吸込室３０ａと補助吸込室４０ａ，４０ａとを補助的に連通している。なお、連通溝３５，３５は、必ずしも設けなくてもよい。
【００３５】
このような隔壁３１，３２に支持されて回転する回転清掃体３０は、図示しない筒状のコアの外周面に繊維等によりなる摺擦部材３６が設けられてなり（詳細は不図示）、床面との接触を可能としてその回転駆動力により床面の塵埃を掻き取るように作用する。例えば、床面がフローリング等の場合は、回転清掃体３０に対する摩擦抵抗が少ないため、電動機５０にかかる負荷は小さいが、床面が絨毯などの場合は、回転清掃体３０に対する摩擦抵抗が大きいため、電動機５０にかかる負荷が大きくなる。よって、電動機５０は、回転清掃体３０が絨毯などに接した場合にも回転清掃体３０を回転できるだけのトルクを備えている。なお、回転清掃体３０の両端部分には、円筒状のローラ部材３７が設けられており、このローラ部材３７は、掃除時に床面に接地して吸込具１０を前方向へ移動させる駆動力を付与する。
【００３６】
補助吸込室４０ａ，４０ａは、図３（ａ）に示すように、隔壁３１，３２を挟んで吸込室３０ａの左右側方にそれぞれ形成されている。補助吸込室４０ａ，４０ａは、下ケース１１の下面にそれぞれ開口しており、断面が略湾曲凹状を呈している。
【００３７】
補助吸込室４０ａ，４０ａの後壁には、図４（ａ）および図５に示すように、補助吸込路１５，１５にそれぞれ連通する開口１５ａ，１５ａが形成されている。つまり、補助吸込室４０ａ，４０ａにおいて、開口１５ａ，１５ａは、回転補助清掃体４０，４０のそれぞれの径方向に対峙する壁面となる後壁（補助吸込路１５の仕切壁）に形成されている。なお、開口１５ａ，１５ａは、補助吸込室４０ａ，４０ａの後壁に形成されるものに限られることはなく、回転補助清掃体４０，４０のそれぞれの径方向に対峙する壁面に形成されているものであれば、補助吸込室４０ａ，４０ａの前壁や天壁に形成してもよい。
【００３８】
補助吸込路１５，１５は、吸口本体１３の後部側において、回転清掃体３０の軸線と略平行に形成された閉断面の通路であり、一端が前記開口１５ａを通じて補助吸込室４０ａに連通し、他端が下流側開口１５ｂを通じて塵埃吸込路Ｒにそれぞれ連通している。本実施形態では、補助吸込路１５，１５は、下ケース１１と上ケース１２との間に形成されており、下ケース１１の下面に形成される吸込室３０ａとは分離された、別個の通路とされている。つまり、補助吸込室４０ａ，４０ａは、補助吸込路１５，１５を通じて塵埃吸込路Ｒに直接連通している。
【００３９】
図２に戻り、吸込具１０の左右両側部には、補助吸込室４０ａ，４０ａ（片側のみ図示）に通じる開口部１６ａが形成されている。回転補助清掃体４０，４０は、この開口部１６ａ，１６ａを通じて吸込具１０の左右両側部の外側方に幾分突出している（図４（ａ）（ｂ）、図５参照）。
【００４０】
このような補助吸込室４０ａ，４０ａに配置される回転補助清掃体４０，４０は、補助吸込室４０ａ，４０ａに延出された回転清掃体３０の軸部３１ａ，３１ｂに、図示しない筒状のコアを介して、その外周面に繊維等によりなる摺擦部材３６が設けられてなり（詳細は不図示）、床面との接触を可能としてその回転駆動力により床面の塵埃を掻き取るように作用する。本実施形態では、図２に示すように、回転補助清掃体４０，４０（片側のみ図示）の側面にも摺擦部材３６が設けられている。
【００４１】
なお、補助吸込室４０ａの内面（天面１１ｅ（図８（ａ）参照））に、前後方向に延びる（伸びる）湾曲したリブ（不図示）を形成し、このリブが回転補助清掃体４０の摺擦部材３６に接触するように構成して、掻き取った塵埃がリブに沿って開口１５ａ，１５ａ側に導かれるようにしてもよい。
【００４２】
ここで、電動機５０から回転清掃体３０および回転補助清掃体４０，４０への駆動力の伝達機構は、図７に示すように、電動機５０の出力軸５１に設けられた小径プーリ５２と、回転清掃体３０側に設けられた大径プーリ３３と、これらの間に掛け渡され、電動機５０の駆動力を回転清掃体３０側へ伝達する歯付きベルト５３と、を備えて構成されている。なお、吸込口１７の下部後方において、吸込具１０の左右方向中央部には、電動機５０（図７参照）が配置されている。また、電動機５０に給電する電力は、掃除機本体２からホース３、手元操作管４、延長管５を通じて供給されるようになっている。
【００４３】
そして、このような伝達機構を介して、電動機５０の駆動力が回転清掃体３０側へ伝達されると、隔壁３１，３１に支持されて回転清掃体３０および回転補助清掃体４０，４０が回転駆動される。回転清掃体３０により掻き取られた塵埃は、図８（ｂ）に示すように、吸込室３０ａから吸込口１７を通じて塵埃吸込路Ｒに流れ込む。
【００４４】
一方、回転補助清掃体４０，４０により掻き取られた塵埃は、図８（ａ）に示すように、補助吸込室４０ａ，４０ａから開口１５ａ，１５ａを通じて後方の補助吸込路１５，１５に流れ込み、下流側開口１５ｂ，１５ｂを通じて塵埃吸込路Ｒに流れ込む（図８（ｂ）参照）。つまり、回転補助清掃体４０，４０により掻き取られた塵埃は、補助吸込路１５，１５を通じて塵埃吸込路Ｒに直接流れ込むようになっている。
【００４５】
以下では、前記構成によって得られる効果を説明する。
（１）補助吸込室４０ａ，４０ａにて回転補助清掃体４０，４０により掻き取られた塵埃は、吸込室３０ａを通ることなく、補助吸込路１５，１５をバイパスして流れて塵埃吸込路Ｒに直接吸い込まれることとなるので、吸い込む力が弱まりにくくなり、回転補助清掃体４０，４０により掻き取った塵埃を好適に吸引することができる。これにより、部屋の隅にある塵埃を好適に掻き取ることができ、部屋の隅々まで掃除をすることができる。
（２）補助吸込室４０ａ，４０ａにおける補助吸込路１５，１５の開口１５ａ，１５ａは、回転補助清掃体４０，４０の径方向に対峙する壁面に形成されているので、回転補助清掃体４０，４０で掻き取った塵埃が遠心力で飛ばされる方向に開口１５ａ，１５ａが位置することとなり、開口１５ａ，１５ａを通じて補助吸込路１５，１５に好適に塵埃が吸引されることとなる。これにより、部屋の隅にある塵埃を好適に掻き取ることができ、部屋の隅々まで掃除をすることができる。
（３）補助吸込路１５，１５は、下ケース１１と上ケース１２との間に設けられているので、下ケース１１に上ケース１２を組み付けことにより簡単に設けることができ、組付性に優れ、生産性の高い電気掃除機１が得られる。
（４）回転補助清掃体４０，４０は、開口部１６ａ，１６ａを通じて吸込具１０の左右両側部の外側方に突出しているので、吸込具１０の側方に堆積する塵埃を好適に掻き取ることができ、部屋の隅々まで掃除をすることができる。
（５）外側方に突出する回転補助清掃体４０，４０の外側面４１，４１には、摺擦部材３６，３６が設けられているので、部屋の隅にある塵埃をより好適に掻き取ることができ、部屋の隅々までより好適に掃除をすることができる。
【００４６】
前記実施形態では、補助吸込路１５，１５が、下ケース１１と上ケース１２との間に形成されたものを示したが、これに限られることはなく、下ケース１１や上ケース１２に一体的に設けてもよいし、下ケース１１や上ケース１２に別部材を取り付けて設けてもよい。
【００４７】
また、図３（ｂ）に示すように、補助吸込室４０ａの開口４０ａを後方へ大きく形成して、開口面積を拡げた構成としてもよい。このように構成することによって、補助吸込室４０ａの下方の床面や床面上方に舞い上がった塵埃を開口４０ａを通じて好適に吸い込むことができる。
【００４８】
また、回転補助清掃体４０，４０は、開口部１６ａ，１６ａを通じて吸込具１０の左右両側部の外側方に突出するものを示したが、これに限られることはなく、補助吸込室４０ａ，４０ａ内に収容されるように構成してもよい。また、開口部１６ａ，１６ａは必ずしも設けなくてもよい。
【００４９】
また、回転補助清掃体４０は、吸込具１０の左右両側部に設けたが、いずれか片側にのみ設けてもよい。
【００５０】
なお、吸込具１０は、手元操作管４（図１参照）の他端に対して接続して使用することも可能である。
【符号の説明】
【００５１】
１…電気掃除機、２…掃除機本体、２ａ…接続口、２ｂ…蓋、３…ホース、４…手元操作管、４ａ…接続部、５…延長管、５ａ…外管、５ｂ…内管、６ａ…開口部、１０…吸込具、１１…下ケース、１１ａ…ブラシ駆動スイッチ、１１ｂ…車輪、１１ｄ…摺擦部材、１２…上ケース、１３…吸口本体、１４…吸口継手、１４ａ…第１の接続管、１４ｂ…第２の接続管、１４ｃ…接続端子、１５…補助吸込路、１５ａ…開口、１５ｂ…下流側開口、１６…バンパ、１６ａ…開口部、１７…吸込口、３０…回転清掃体、３０ａ…吸込室、３１…隔壁、３１ａ…軸部、３１ｂ…軸部、３１ｃ…支持部材、３２…隔壁、３３…大径プーリ、３４…摺擦部材、３５…連通溝、３６…摺擦部材、３７…ローラ部材、４０…回転補助清掃体、４０ａ…補助吸込室、４１…外側面、４４…グリップ部、４５…ハンドル、４６…操作スイッチ、４７…着脱ボタン、５０…電動機、５１…出力軸、５２…小径プーリ、５３…歯付きベルト、Ｐ…回路基板、Ｒ…塵埃吸込路。
【図１】
2013070838.tif 000003
【図２】
2013070838.tif 000004
【図３】
2013070838.tif 000005
【図４】
2013070838.tif 000006
【図５】
2013070838.tif 000007
【図６】
2013070838.tif 000008
【図７】
2013070838.tif 000009
【図８】
2013070838.tif 000010